(57)【要約】【課題】利便性及び安全性を向上できる照明システムを提供する。【解決手段】所定領域に横臥する検知対象が起き上がったか否かを検知する起き上がり検知部４と、所定領域の近傍を照明する局所照明部２と、所定領域から目的地点までの経路を照明する経路照明部３と、起き上がり検知部４の検知結果に基づいて局所照明部２及び経路照明部３を点灯する制御部１０とを備えた。【選択図】図４
2015225784.tif 000002
【特許請求の範囲】
【請求項１】
所定領域に横臥する検知対象が起き上がったか否かを検知する起き上がり検知部と、
前記所定領域の近傍を照明する局所照明部と、
前記所定領域から所定の目的地点までの経路を照明する経路照明部と、
前記起き上がり検知部の検知結果に基づいて前記局所照明部及び前記経路照明部を点灯する制御部とを備えた照明システム。
【請求項２】
複数の前記目的地点を保持して各前記目的地点までの各前記経路にそれぞれ前記経路照明部が配されるとともに、
各前記経路内の前記検知対象の存否を検知する存否検知部を備え、
前記起き上がり検知部の検知結果に基づいて所定の前記経路の前記経路照明部を点灯してそれ以外の前記経路の前記経路照明部を消灯し、
前記存否検知部の検知結果に基づいて消灯状態の所定の前記経路の前記経路照明部を点灯してそれ以外の前記経路の前記経路照明部を消灯することを特徴とする請求項１に記載の照明システム。
【請求項３】
各前記経路に前記検知対象が進入する進入頻度を記憶する記憶部を備え、
前記起き上がり検知部の検知結果に基づいて、前記進入頻度の多い前記経路の前記経路照明部を点灯して前記進入頻度の少ない前記経路の前記経路照明部を消灯することを特徴とする請求項２に記載の照明システム。
【請求項４】
前記経路照明部に前記存否検知部を設けたことを特徴とする請求項２または請求項３に記載の照明システム。
【請求項５】
前記検知対象の起き上がりを検知した後に、前記検知対象が前記所定領域を離れている時間に応じて報知を行うことを特徴とする請求項１〜請求項４のいずれかに記載の照明システム。
【請求項６】
所定の携帯情報端末に対して通信によって報知を行うことを特徴とする請求項５に記載の照明システム。
【発明の詳細な説明】
【技術分野】
【０００１】
本発明は、屋内を照明する照明システムに関する。
【背景技術】
【０００２】
特許文献１には、屋内を照明する照明システムが開示されている。この照明システムは、照明部、人体検知部及び記憶部を備える。照明部は屋内に複数設けられ、屋内の複数の照明領域をそれぞれ照明する。人体検知部は人体（検知対象）が携帯する発信機と各照明領域に設置された受信機とから成り、屋内の人体の位置を検知する。記憶部は一の照明領域から他の照明領域への人体の進入頻度を記憶する。
【０００３】
上記構成の照明システムにおいて、人体が一の照明領域に進入すると一の照明領域の照明部を点灯する。その後に、人体が一の照明領域から離れ、複数の照明領域につながる分岐地点に差し掛かると進入頻度の高い照明領域の照明部を点灯する。これにより、人体の移動先と推定される照明領域を予め照明することができる。
【先行技術文献】
【特許文献】
【０００４】
【特許文献１】特開２００９−２５２７２８号公報（第９頁〜第１１頁、第１図）
【発明の概要】
【発明が解決しようとする課題】
【０００５】
しかしながら、上記従来の照明システムによると、使用者が照明領域である寝室で就寝する際に、人体検知による寝室の照明部の点灯を回避するため発信機を停止して照明部が消灯される。このため、使用者が夜間に寝床から起き上がった際に発信機を再起動する必要があるため利便性が悪い問題があった。また、発信機の再起動が行われずに使用者が寝室内を移動すると、照明部の消灯状態が継続するため設置物と衝突する虞があり、安全性が低い問題があった。
【０００６】
本発明は、利便性及び安全性を向上できる照明システムを提供することを目的とする。
【課題を解決するための手段】
【０００７】
上記目的を達成するために、本発明の照明システムは、所定領域に横臥する検知対象が起き上がったか否かを検知する起き上がり検知部と、前記所定領域の近傍を照明する局所照明部と、前記所定領域から所定の目的地点までの経路を照明する経路照明部と、前記起き上がり検知部の検知結果に基づいて前記局所照明部及び前記経路照明部を点灯する制御部とを備えたことを特徴としている。
【０００８】
この構成によると、所定領域に横臥する検知対象が起き上がると、局所照明部により所定領域の近傍が照明される。この時、所定領域から所定の目的地点までの経路が経路照明部により照明される。
【０００９】
また本発明は、上記構成の照明システムにおいて、複数の前記目的地点を保持して各前記目的地点までの各前記経路にそれぞれ前記経路照明部が配されるとともに、各前記経路内の前記検知対象の存否を検知する存否検知部を備え、前記起き上がり検知部の検知結果に基づいて所定の前記経路の前記経路照明部を点灯してそれ以外の前記経路の前記経路照明部を消灯し、前記存否検知部の検知結果に基づいて消灯状態の所定の前記経路の前記経路照明部を点灯してそれ以外の前記経路の前記経路照明部を消灯すると好ましい。
【００１０】
この構成によると、例えば検知対象の起き上がり時に所定の経路の経路照明部を点灯してそれ以外の経路の経路照明部を消灯する。その後に、消灯状態の所定の経路内に検知対象が存在するとその経路の経路照明部を点灯し、それ以外の経路の経路照明部を消灯する。
【００１１】
また本発明は、上記構成の照明システムにおいて、各前記経路に前記検知対象が進入する進入頻度を記憶する記憶部を備え、前記起き上がり検知部の検知結果に基づいて、前記進入頻度の多い前記経路の前記経路照明部を点灯して前記進入頻度の少ない前記経路の前記経路照明部を消灯すると好ましい。
【００１２】
また本発明は、上記構成の照明システムにおいて、前記経路照明部に前記存否検知部を設けると好ましい。
【００１３】
また本発明は、上記構成の照明システムにおいて、前記検知対象の起き上がりを検知した後に、前記検知対象が前記所定領域を離れている時間に応じて報知を行うと好ましい。この構成によると、例えば所定領域から離れた検知対象が経路上に滞在し、所定時間内に所定領域に戻ってこないと報知が行われる。
【００１４】
また本発明は、上記構成の照明システムにおいて、所定の携帯情報端末に対して通信によって報知を行うと好ましい。
【発明の効果】
【００１５】
本発明によると、所定領域に横臥する検知対象の起き上がりを検知する起き上がり検知部の検知結果に基づいて、局所照明部が所定領域の近傍を照明する。これにより、起き上がった検知対象は所定領域の近傍の様子を容易に視認することができる。この時、経路照明部は所定領域から目的地点までの経路を照明する。これにより、検知対象は目的地点までの経路内の様子を容易に視認することができ、所定領域から目的地点まで安全に移動することができる。したがって、照明システムの利便性及び安全性を向上させることができる。
【図面の簡単な説明】
【００１６】
【図１】本発明の第１実施形態の照明システムを備えた居宅を示す平面断面図
【図２】本発明の第１実施形態の照明システムのベッドサイド装置を備えた部屋の斜視図
【図３】本発明の第１実施形態の照明システムの構成を示すブロック図
【図４】本発明の第１実施形態の照明システムの起き上がり時照明動作を示すフローチャート
【図５】本発明の第２実施形態の照明システムの構成を示すブロック図
【図６】本発明の第３実施形態の照明システムを備えた居宅を示す平面断面図
【発明を実施するための形態】
【００１７】
＜第１実施形態＞
以下に図面を参照して本発明の実施形態を説明する。図１は本発明の第１実施形態の照明システムを備えた居宅の平面断面図を示している。図２は照明システムのベッドサイド装置が取り付けられた部屋Ｓ１の斜視図を示している。照明システム１は居宅Ｈに設けられ、ベッドサイド装置２０及び経路照明部３（３ｂ〜３ｊ）を有する。
【００１８】
居宅Ｈは側壁Ｗで仕切られた部屋Ｓ１〜Ｓ６（それぞれ例えば、寝室、リビングルーム、ダイニングルーム、浴室、トイレ及び客間）を有し、部屋Ｓ１〜Ｓ６は扉（不図示）を介して廊下Ｓ７とつながっている。部屋Ｓ３には流し台４０が設けられる。部屋Ｓ１には人体が横臥するベッド５０が配置され、天井面には寝室照明部３ａが取り付けられる。寝室照明部３ａはＬＥＤを有し、側壁Ｗに配置されたスイッチ（不図示）により点灯及び消灯が行われる。なお、ベッド５０に替えて、部屋Ｓ１の床面に直接敷いた敷布団上に人体が横臥してもよい。
【００１９】
部屋Ｓ１の側壁Ｗにはベッドサイド装置２０が取り付けられ、ベッド５０はベッドサイド装置２０の近傍に配置される。ベッドサイド装置２０は起き上がり検知部４及び複数の局所照明部２を有する。起き上がり検知部４は赤外線カメラ、赤外線サーモグラフィ及び焦電センサ（いずれも不図示）を有し、ベッド５０上の人体（検知対象）の起臥状態を検知することができる。すなわち、起き上がり検知部４はベッド５０上の人体が起き上がったか否かを検知することができる。
【００２０】
起き上がり検知部４によりベッド５０上の人体を示す熱分布がベッド５０の長手方向に沿っていることを検知した場合には照明システム１は人体がベッド５０上で横臥していると判断することができる。また、起き上がり検知部４がベッド５０上に人体を示す熱分布を検知しない場合には、照明システム１はベッド５０上に横臥していた人体がベッド５０から離れた（離床）と判断することができる。また、起き上がり検知部４がベッド５０上の人体を示す熱分布を検知しなくなった後にベッド５０上に人体を示す熱分布を検知した場合には、照明システム１はベッド５０から離床した人体がベッド５０に戻ったと判断することができる。
【００２１】
なお、ベッド５０のマットレス（不図示）上にシート状の重量センサを配置し、重量センサにより人体が起き上がったか否かを検知する起き上がり検知部を構成してもよい。この場合、例えば横臥する人体の上半身部分の下方に重量センサを配置すれば、ベッド５０上の人体の起臥状態を容易に判断することができる。
【００２２】
局所照明部２はＬＥＤを有し、ベッド５０の近傍を照明する。経路照明部３ｂ〜３ｆはそれぞれ部屋Ｓ２〜Ｓ６の天井面（不図示）に取り付けられ、経路照明部３ｇ〜３ｊは廊下Ｓ７の天井面（不図示）に取り付けられる。経路照明部３ｂ〜３ｊはＬＥＤを有し、それぞれ部屋Ｓ２〜Ｓ６及び廊下Ｓ７を照明する。なお、局所照明部２及び経路照明部３ｂ〜３ｊはＬＥＤに替えてＣＣＦＬ（Cold Cathode Fluorescent Lamp）を有してもよい。局所照明部２及び経路照明部３ｂ〜３ｊは後述の起き上がり時照明動作の際に自動的に点灯及び消灯を行う。
【００２３】
部屋Ｓ２、Ｓ６の側壁Ｗの上部には、ブザー音や音声を出力するスピーカ６が取り付けられる。スピーカ６の取付け場所は部屋Ｓ２、Ｓ６に限定されず、例えば部屋Ｓ１〜Ｓ６の全てにスピーカ６を取り付けてもよい。なお、スピーカ６に替えて、点滅する非常灯を取り付けてもよい。
【００２４】
図３は照明システム１の構成を示すブロック図である。照明システム１はＣＰＵから成る制御部１０をベッドサイド装置２０内に備え、制御部１０は照明システム１の各部を制御する。制御部１０には、局所照明部２、起き上がり検知部４、記憶部５、操作部１１及び無線通信部９が接続される。また、無線通信部９には、経路照明部３、スピーカ６、人体センサ７（存否検知部）及び照度センサ８が無線接続される。
【００２５】
記憶部５は例えばＥＥＰＲＯＭ等から成り、照明システム１の動作プログラムや各種データを記憶する。各種データには、後述の起き上がり時照明動作の際に点灯する経路照明部３の位置情報（使用者が向かう目的地点）や後述の進入頻度が含まれる。
【００２６】
操作部１１はスイッチやボタンを有し、ベッドサイド装置２０の前面に配される。操作部１１を操作して後述の起き上がり時照明動作の際に点灯させる経路照明部３を選択することができる。すなわち、起き上がり時照明動作の際に照明する経路を選択することができる。
【００２７】
無線通信部９は例えば９２０ＭＨｚ帯無線（サブギガ帯無線）を用いる。９２０ＭＨｚ帯無線は減衰が少なく回折性を有するため、側壁Ｗ等の障害物の影響を低減することができる。これにより、無線通信範囲が広くなり、経路照明部３ｂ〜３ｊを広範囲にわたって設置することができる。なお、無線通信規格として、Ｂｌｕｅｔооｔｈ（登録商標）規格やＷｉ−Ｆｉ（登録商標）規格を使用してもよい。
【００２８】
また、無線通信部９を省いて、経路照明部３、スピーカ６、人体センサ７及び照度センサ８を制御部１０に有線接続してもよい。
【００２９】
人体センサ７は例えば焦電型赤外線センサから成り、経路照明部３ｂ〜３ｊ内に配置される。これにより、部屋Ｓ２〜Ｓ６や廊下Ｓ７内の人体（検知対象）の存否を検知することができる。なお、人体センサ７を経路照明部３ｂ〜３ｊとは異なる場所（例えば側壁Ｗ）に配置してもよい。照度センサ８は部屋Ｓ１〜Ｓ６及び廊下Ｓ７の天井面に設置され、部屋Ｓ１〜Ｓ６及び廊下Ｓ７の照度を検知する。
【００３０】
図４は、起き上がり検知部４がベッド５０上の人体の起き上がりを検知した際に局所照明部２及び経路照明部３を点灯する起き上がり時照明動作を示すフローチャートである。ベッド５０上で横臥する人体の起き上がりを起き上がり検知部４が検知すると、起き上がり時照明動作が開始される。
【００３１】
ステップ＃１では局所照明部２を点灯し、ベッド５０の近傍を照明する。これにより、夜間に部屋Ｓ１の寝室照明部３ａを消灯している場合でもベッド５０から起き上がった使用者はベッド５０の近傍の様子を容易に視認することができる。
【００３２】
ステップ＃２では使用者の進入頻度（例えば、１ヶ月当たりの進入回数）が最も高い第１経路Ｒ１（図１参照）の照度が所定の下限照度よりも低いか否かが判断される。ここでは、第１経路Ｒ１として部屋Ｓ１を出て部屋Ｓ５までの経路（部屋Ｓ５及び廊下Ｓ７）を例に説明する。下限照度は使用者が部屋Ｓ５及び廊下Ｓ７内の様子を視認できる程度の照度に設定される。部屋Ｓ５または廊下Ｓ７の照度が下限照度よりも低い場合にはステップ＃３に移行し、部屋Ｓ５及び廊下Ｓ７の照度が下限照度よりも大きい場合にはステップ＃４に移行する。なお、操作部１１により使用者が経路を選択していた場合には、その経路内の部屋及び廊下Ｓ７の照度が下限照度よりも低いか否かが判断される。
【００３３】
ステップ＃３では、経路照明部３ｈ、３ｉ、３ｅを点灯して第１経路Ｒ１を照明する。これにより、使用者は第１経路Ｒ１内の様子を容易に視認でき、ベッド５０から部屋Ｓ５まで安全に移動することができる。この時、使用者に眩しさを感じさせない程度に経路照明部３ｈ、３ｉ、３ｅの輝度を低下させると好ましい。なお、使用者が操作部１１により経路を選択していた場合には、その経路の経路照明部３を点灯する。
【００３４】
ステップ＃４では、使用者がベッド５０上に戻って横臥したか否かが判断される。使用者がベッド５０に横臥した場合にはステップ＃１１に移行し、横臥していない場合にはステップ＃５に移行する。
【００３５】
ステップ＃５では、第１経路Ｒ１以外の別の経路内に人体が存在するか否かが判断される。第１経路Ｒ１に人体が存在する場合にはステップ＃９に移行し、別の経路に人体が存在する場合はステップ＃６に移行する。例えば、使用者が廊下Ｓ７内で第１経路Ｒ１を外れて経路照明部３ｊ付近に到達すると、ステップ＃６の処理が行われる。
【００３６】
ステップ＃６では使用者が第１経路Ｒ１を外れて進入した経路の照度が下限照度よりも低いか否かが判断される。本実施形態では、使用者が例えば経路照明部３ｊ付近に到達した場合には進入頻度が２番目に高い第２経路Ｒ２（図１参照）の照度が下限照度よりも低いか否かが判断される。ここでは、進入頻度が２番目に高い第２経路Ｒ２として部屋Ｓ１を出て部屋Ｓ３までの経路（部屋Ｓ３及び廊下Ｓ７）を例に説明する。部屋Ｓ３または廊下Ｓ７の照度が下限照度よりも低い場合にはステップ＃７に移行し、下限照度よりも大きい場合にはステップ＃８に移行する。
【００３７】
すなわち、使用者が第１経路Ｒ１を外れて、複数の部屋につながる分岐地点（例えば、経路照明部３ｊ付近）に到達した場合には、進入頻度が最も高い経路（この場合には、第１経路Ｒ１を除いた経路）についてステップ＃６の処理を行う。
【００３８】
ステップ＃７では、経路照明部３ｈ、３ｉ、３ｊ、３ｃを点灯して第２経路Ｒ２を照明する。これにより、使用者は第２経路Ｒ２内の様子を容易に視認でき、ベッド５０から部屋Ｓ３まで安全に移動することができる。例えば、部屋Ｓ５を離れた使用者が第１経路Ｒ１を通らずに経路Ｒ１２（図１参照）を通って部屋Ｓ３の流し台４０に向かう場合に安全に移動することができる。この時、使用者に眩しさを感じさせない程度に経路照明部３ｈ、３ｉ、３ｊ、３ｅの輝度を低下させると好ましい。
【００３９】
ステップ＃８では、元の経路（ここでは、第１経路Ｒ１）の照明部３ｅを消灯する。これにより、人体が存在しない第１経路Ｒ１内の部屋Ｓ５を照明しないため、照明システム１の電力浪費を防止することができる。
【００４０】
ステップ＃９では、起き上がり検知部４により使用者の起き上がり（離床も含む）を検知した後に所定時間（例えば３０分間）が経過したか否かが判断される。所定時間が経過した場合にはステップ＃１０に移行し、経過していない場合にはステップ＃４に戻ってステップ＃４〜ステップ＃９が繰り返される。
【００４１】
ステップ＃１０ではスピーカ６により報知が行われる。これにより、使用者がベッド５０上で起き上がったまま又はベッド５０から離床してベッド５０に戻ってきていないことを居宅Ｈ内の同居者は容易に認識することができる。したがって、照明システム１の安全性を向上させることができる。ステップ＃１０の後はステップ＃４に戻り、ステップ＃４〜ステップ＃１０が繰り返される。
【００４２】
ステップ＃１１では、点灯状態の経路照明部３を消灯する。ステップ＃１２では局所照明部２を消灯し、起き上がり時照明動作を終了する。
【００４３】
本実施形態によると、ベッド５０（横臥領域）に横臥する人体（検知対象）が起き上がったか否かを検知する起き上がり検知部４の検知結果に基づいて、制御部１０は局所照明部２を点灯する。これにより、ベッド５０から起き上がった使用者はベッド５０の近傍の様子を容易に視認することができる。この時、制御部１０は経路照明部３ｈ、３ｉ、３ｅを点灯する。これにより、使用者は部屋Ｓ５までの第１経路Ｒ１内の様子を容易に視認することができ、ベッド５０から部屋Ｓ５まで安全に移動することができる。したがって、照明システム１の利便性及び安全性を向上させることができる。
【００４４】
また、使用者がベッド５０上で横臥している場合には、局所照明部２及び経路照明部３を点灯しないため、照明システム１の電力消費を抑制することができる。
【００４５】
また、起き上がり検知部４の検知結果に基づいて第１経路Ｒ１の経路照明部３ｈ、３ｉ、３ｅを点灯して別の経路の経路照明部３を消灯し、人体センサ７（存否検知部）の検知結果に基づいて点灯状態の経路照明部３ｅを消灯するとともに消灯状態の経路照明部３ｊ、３ｃを点灯する。これにより、人体が存在する第２経路Ｒ２を照明するとともに、人体が存在しない第１経路Ｒ１内の部屋Ｓ５を消灯する。したがって、照明システム１の電力浪費を抑制して、利便性及び安全性をより向上させることができる。
【００４６】
また、経路照明部３に人体センサ７（存否検知部）を設けているため、人体センサ７を居宅Ｈに容易に取り付けることができる。
【００４７】
また、起き上がり検知部４の検知結果に基づいて、人体の進入頻度の多い第１経路Ｒ１の経路照明部３を点灯して人体の進入頻度の少ない経路の経路照明部３を消灯する。これにより、人体の過去の移動（夜間にはトイレに行く等）に基づいて人体の移動先（トイレ等）を推定して第１経路Ｒ１を照明することができる。したがって、照明システム１の利便性をより向上させることができる。
【００４８】
また、人体の起き上がりを検知した後に、人体がベッド５０を離れている時間に応じてスピーカ６により報知を行う。これにより、ベッド５０に横臥する使用者以外の居宅Ｈ内の同居者は使用者がベッド５０に戻ってきていないことを容易に認識することができる。したがって、照明システム１の安全性をより向上させることができる。
【００４９】
なお、照度センサ８を省いて、ステップ＃２及びステップ＃６において時間帯に基づいて判断してもよい。例えば、ステップ＃２及びステップ＃６において、午後１１時〜午前６時の時間帯の場合には部屋Ｓ１〜Ｓ６及び廊下Ｓ７の照度が下限照度よりも小さいことが多いため、それぞれステップ＃３及びステップ＃７に移行して経路照明部３を点灯してもよい。
【００５０】
＜第２実施形態＞
次に、本発明の第２実施形態について説明する。図５は本発明の第２実施形態の照明システムを示すブロック図である。説明の便宜上、前述の図１〜図４に示す第１実施形態と同様の部分には同一の符号を付している。本実施形態はスピーカ６を省いて携帯情報端末３０に対して報知を行う点で第１実施形態とは異なっている。その他の部分は第１実施形態と同様である。
【００５１】
本実施形態では、図４のステップ＃１０において、記憶部５に予め登録された携帯電話機やタブレット端末等の携帯情報端末３０に対して無線通信部９を介して報知を行う。これにより、例えば使用者が居宅Ｈに独りで在宅している場合でも、外出している同居者、親戚や友人に使用者の異常事態を容易に知らせることができる。
【００５２】
本実施形態によると、第１実施形態と同様の効果を得ることができる。また、携帯情報端末３０に対して通信によって報知を行うため、居宅Ｈ内及び外部（屋外）の人に対して、使用者に異常事態が生じたことを容易に知らせることができる。したがって、照明システム１の安全性を向上させることができる。また、居宅Ｈにスピーカ６を設置する手間を省くことができる。
【００５３】
＜第３実施形態＞
次に、本発明の第３実施形態について説明する。図６は本発明の第３実施形態の照明システムを備えた居宅を示す平面断面図である。説明の便宜上、前述の図１〜図４に示す第１実施形態と同様の部分には同一の符号を付している。本実施形態はスピーカ６を省いて、部屋Ｓ１に加えて部屋Ｓ６にもベッドサイド装置２０を配置している点で第１実施形態とは異なっている。その他の部分は第１実施形態と同様である。
【００５４】
部屋Ｓ６は例えば和室の客間であり、側壁Ｗの上下方向の中央部にはベッドサイド装置２０が取り付けられる。ベッドサイド装置２０の近傍の畳上には敷布団６０が直接敷かれる。敷布団６０上に横臥する同居者に対しても図４に示す起き上がり時照明動作が行われる。
【００５５】
ベッド５０の使用者が夜間にベッド５０から起き上がった後に所定時間経過してもベッド５０に戻ってこない場合（図４のステップ＃９のＹＥＳの場合）には、図４のステップ＃１０において、部屋Ｓ６の起き上がり検知部４の検知結果に拘わらずに部屋Ｓ６の局所照明部２を点灯する。これにより、敷布団６０に横臥する同居者に対して、ベッド５０の使用者に異常事態が生じたことを報知することができる。この時、部屋Ｓ６の局所照明部２を点滅させてもよい。同様に、敷布団６０上に横臥する同居者が所定時間経過しても敷布団６０に戻ってこない場合に、部屋Ｓ１の局所照明部２を点灯して、ベッド５０に横臥する使用者に対して報知してもよい。
【００５６】
第３実施形態によると、第１実施形態と同様な効果を得ることができる。また、局所照明部２により報知を行うことができるため、居宅Ｈにスピーカ６を設置する手間を省くことができる。
【００５７】
なお、第１〜第３実施形態では照明システム１を居宅Ｈに設けているが、介護施設や病院等に設けてもよい。
【産業上の利用可能性】
【００５８】
本発明は、屋内を照明する照明システムに利用することができる。
【符号の説明】
【００５９】
１      照明システム
２      局所照明部
３ｂ〜３ｊ      経路照明部
４      起き上がり検知部
５      記憶部
６      報知部
７      人体センサ（存否検知部）
８      照度センサ
９      無線通信部
１０      制御部
２０      ベッドサイド装置
３０      携帯情報端末
４０      流し台
５０      ベッド
Ｈ        居宅
Ｓ１〜Ｓ６      部屋
Ｓ７      廊下
Ｒ１      第１経路
Ｒ２      第２経路
Ｗ        側壁
【図１】
2015225784.tif 000003
【図２】
2015225784.tif 000004
【図３】
2015225784.tif 000005
【図４】
2015225784.tif 000006
【図５】
2015225784.tif 000007
【図６】
2015225784.tif 000008